(57)【要約】【課題】手続き時におけるセキュリティを強化及び手続きを簡素化する。【解決手段】手続き受付サーバ１０２にて、ユーザ端末１０１を用いて入力されたカード番号とカード暗証番号とを用いて利用者の認証が行われ、認証に成功した場合、手続き番号が発行され、発行された手続き番号と、カード番号と、ユーザ端末１０１を用いて入力された手続きの内容である手続き情報とが対応付けて格納され、格納された手続き番号がＡＴＭ１０３に入力された場合、手続き番号と対応付けて格納されたカード番号と手続き情報とがＡＴＭ１０３へ送信される。そして、カード番号を読み取ったＡＴＭ１０３にて、読み取ったカード番号と手続き受付サーバ１０２から送信されたカード番号とが一致した場合、手続き受付サーバ１０２から送信された手続き情報に基づいて手続きが行われる。【選択図】図１
2007316898.tif 000002
【特許請求の範囲】
【請求項１】
キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末と、前記利用者端末を用いて入力された前記手続き情報を格納するサーバとを有してなる金融システムにおいて、
前記サーバは、前記利用者端末にて入力された前記カード番号と前記カード暗証番号とを用いて利用者の認証を行い、認証に成功した場合、手続き番号を発行し、発行された前記手続き番号と、前記カード番号と、前記手続き情報とを対応付けて格納し、前記手続き端末に前記格納された手続き番号が入力された場合、該手続き番号と対応付けて格納された前記カード番号と前記手続き情報とを前記手続き端末へ送信し、
前記手続き端末は、前記読み取ったカード番号と前記サーバから送信されたカード番号とが一致した場合、前記サーバから送信された手続き情報に基づいて前記手続きを行うことを特徴とする金融システム。
【請求項２】
請求項１に記載の金融システムにおいて、
前記手続き端末は、前記手続きが完了した際に、前記サーバへ手続き完了通知を送信し、
前記サーバは、前記手続き完了通知を受信した際に、前記格納された手続き番号とカード番号と手続き情報との対応付けを消去することを特徴とする金融システム。
【請求項３】
キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末とに接続されたサーバであって、
前記利用者端末にて入力された前記カード番号及びカード暗証番号を用いて利用者の認証を行い、認証に成功した場合、手続き番号を発行し、発行された前記手続き番号と、前記カード番号と、前記手続き情報とを対応付けて格納し、前記手続き端末に前記格納された手続き番号が入力された場合、該手続き番号と対応付けて格納された前記カード番号と前記手続き情報とを前記手続き端末へ送信するサーバ。
【請求項４】
請求項３に記載のサーバにおいて、
前記手続き端末から手続きが完了した通知があった際に、前記格納された手続き番号とカード番号と手続き情報との対応付けを消去することを特徴とするサーバ。
【請求項５】
キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末と、前記利用者端末を用いて入力された前記手続き情報を格納するサーバとを用いた手続き方法であって、
前記サーバが、前記利用者端末にて入力された前記カード番号と前記カード暗証番号とを用いて利用者の認証を行う処理と、
前記認証に成功した場合、前記サーバが、手続き番号を発行する処理と、
前記サーバが、発行された前記手続き番号と、前記カード番号と、前記手続き情報とを対応付けて格納する処理と、
前記手続き端末に前記格納された手続き番号が入力された場合、前記サーバが、該手続き番号と対応付けて格納された前記カード番号と前記手続き情報とを前記手続き端末へ送信する処理と、
前記読み取ったカード番号と前記サーバから送信されたカード番号とが一致した場合、前記手続き端末が、前記サーバから送信された手続き情報に基づいて前記手続きを行う処理とを有する手続き方法。
【請求項６】
請求項５に記載の手続き方法において、
前記手続きが完了した際に、前記手続き端末が、前記サーバへ手続き完了通知を送信する処理と、
前記サーバが、前記手続き完了通知を受信した際に、前記格納された手続き番号とカード番号と手続き情報との対応付けを消去する処理とを有することを特徴とする手続き方法。
【発明の詳細な説明】
【技術分野】
【０００１】
本発明は、現金の引き出しや預け入れ、振込み等を行う金融システム、サーバ及びそれにおける手続き方法に関する。
【背景技術】
【０００２】
従来より、銀行等の金融機関に預けている預金を引き出したり、金融機関にお金を預け入れたりする場合、その利用者が現金自動預け払い機（以下、ＡＴＭと称する）等を利用する率は高いものである。
【０００３】
そのＡＴＭを利用して現金の引き出しや預け入れ等を行う場合、それら様々な手続きをするためにＡＴＭを操作する利用者がキャッシュカードの暗証番号をＡＴＭに設けられたタッチパネルに入力している。
【０００４】
しかしながら、昨今、ＡＴＭに隠しカメラを設置して暗証番号を盗み見るなどの犯罪が発生しており、従来より行われているタッチパネルに暗証番号を入力する方法は、セキュリティ上、安心できるものではなくなってきている。
【０００５】
また、ＡＴＭの利用においては、現金の引き出しや預け入れのほか、振込み等の様々な手続きが可能であり、その際、振込み先の振込み口座など、種々の情報をタッチパネルで入力しなければならない。そのため、手馴れない利用者が操作をする場合、操作方法が分からなかったり、操作方法を誤ってしまい何度もやり直すということにより、他の利用者の待ち時間が長くなってしまうという問題がある。
【０００６】
そこで、金融機関に対する入出金を予め申し込んでおき、その申し込み時に発行される取引番号と暗証番号とを現金自動取引装置に入力するだけで、当該現金自動取引装置における入出金処理を可能とする方法が考えられている（例えば、特許文献１参照。）。
【０００７】
また、キャッシュカードに記憶された情報に基づいて、現金自動取引装置における手続きを簡素化する方法が考えられている（例えば、特許文献２参照。）。
【特許文献１】特開２００３−１２３１２６号公報
【特許文献２】特開２００１−２５０１４９号公報
【発明の開示】
【発明が解決しようとする課題】
【０００８】
しかしながら、特許文献１に記載された方法においては、キャッシュカードを使用せずに取り引きを行うことを特徴としているため、現金自動取引装置での入力操作時に、その操作を行う利用者を識別するために、桁数の多い口座番号もしくはそれ相当の番号を入力する必要があり、桁数が多いために入力に時間がかかったり、入力ミスをしてしまったりして、操作に時間がかかってしまうという問題点がある。
【０００９】
また、特許文献２に記載された方法においては、過去に行った手続き以外は簡素化されないという問題点がある。
【００１０】
本発明は、上述したような従来の技術が有する問題点に鑑みてなされたものであって、手続き時におけるセキュリティを強化及び手続きを簡素化することができる金融システム、サーバ及びそれにおける手続き方法を提供することを目的とする。
【課題を解決するための手段】
【００１１】
上記目的を達成するために本発明は、
キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末と、前記利用者端末を用いて入力された前記手続き情報を格納するサーバとを有してなる金融システムにおいて、
前記サーバは、前記利用者端末にて入力された前記カード番号と前記カード暗証番号とを用いて利用者の認証を行い、認証に成功した場合、手続き番号を発行し、発行された前記手続き番号と、前記カード番号と、前記手続き情報とを対応付けて格納し、前記手続き端末に前記格納された手続き番号が入力された場合、該手続き番号と対応付けて格納された前記カード番号と前記手続き情報とを前記手続き端末へ送信し、
前記手続き端末は、前記読み取ったカード番号と前記サーバから送信されたカード番号とが一致した場合、前記サーバから送信された手続き情報に基づいて前記手続きを行うことを特徴とする。
【００１２】
また、前記手続き端末は、前記手続きが完了した際に、前記サーバへ手続き完了通知を送信し、
前記サーバは、前記手続き完了通知を受信した際に、前記格納された手続き番号とカード番号と手続き情報との対応付けを消去することを特徴とする。
【００１３】
また、キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末とに接続されたサーバであって、
前記利用者端末にて入力された前記カード番号及びカード暗証番号を用いて利用者の認証を行い、認証に成功した場合、手続き番号を発行し、発行された前記手続き番号と、前記カード番号と、前記手続き情報とを対応付けて格納し、前記手続き端末に前記格納された手続き番号が入力された場合、該手続き番号と対応付けて格納された前記カード番号と前記手続き情報とを前記手続き端末へ送信する。
【００１４】
また、前記手続き端末から手続きが完了した通知があった際に、前記格納された手続き番号とカード番号と手続き情報との対応付けを消去することを特徴とする。
【００１５】
また、キャッシュカードに記憶されたカード番号を読み取り、所望の手続きを行う手続き端末と、前記手続き端末にて行われる手続きを予め登録するために前記カード番号とカード暗証番号と前記手続きの内容である手続き情報とを入力する利用者端末と、前記利用者端末を用いて入力された前記手続き情報を格納するサーバとを用いた手続き方法であって、
前記サーバが、前記利用者端末にて入力された前記カード番号と前記カード暗証番号とを用いて利用者の認証を行う処理と、
前記認証に成功した場合、前記サーバが、手続き番号を発行する処理と、
前記サーバが、発行された前記手続き番号と、前記カード番号と、前記手続き情報とを対応付けて格納する処理と、
前記手続き端末に前記格納された手続き番号が入力された場合、前記サーバが、該手続き番号と対応付けて格納された前記カード番号と前記手続き情報とを前記手続き端末へ送信する処理と、
前記読み取ったカード番号と前記サーバから送信されたカード番号とが一致した場合、前記手続き端末が、前記サーバから送信された手続き情報に基づいて前記手続きを行う処理とを有する。
【００１６】
また、前記手続きが完了した際に、前記手続き端末が、前記サーバへ手続き完了通知を送信する処理と、
前記サーバが、前記手続き完了通知を受信した際に、前記格納された手続き番号とカード番号と手続き情報との対応付けを消去する処理とを有することを特徴とする。
【００１７】
上記のように構成された本発明においては、サーバにて、利用者端末を用いて入力されたキャッシュカードのカード番号とカード暗証番号とを用いて利用者の認証が行われ、認証に成功した場合、手続き番号が発行され、発行された手続き番号と、カード番号と、利用者端末を用いて入力された手続きの内容である手続き情報とが対応付けて格納され、格納された手続き番号が手続き端末に入力された場合、手続き番号と対応付けて格納されたカード番号と手続き情報とが手続き端末へ送信される。そして、キャッシュカードのカード番号を読み取った手続き端末にて、読み取ったカード番号とサーバから送信されたカード番号とが一致した場合、サーバから送信された手続き情報に基づいて手続きが行われる。
【００１８】
これにより、キャッシュカードの暗証番号を盗み見られることがなくなり、且つ手続き端末における手続きの操作にかかる時間も大幅に削減することが可能となる。
【発明の効果】
【００１９】
以上説明したように本発明においては、サーバにて、利用者端末を用いて入力されたキャッシュカードのカード番号とカード暗証番号とを用いて利用者の認証を行い、認証に成功した場合、手続き番号を発行し、発行された手続き番号と、カード番号と、利用者端末を用いて入力された手続きの内容である手続き情報とを対応付けて格納し、格納された手続き番号が手続き端末に入力された場合、手続き番号と対応付けて格納されたカード番号と手続き情報とを手続き端末へ送信する。そして、キャッシュカードのカード番号を読み取った手続き端末にて、読み取ったカード番号とサーバから送信されたカード番号とが一致した場合、サーバから送信された手続き情報に基づいて手続きを行う構成としたため、手続き時におけるセキュリティを強化及び手続きを簡素化することができる。
【発明を実施するための最良の形態】
【００２０】
以下に、本発明の実施の形態について図面を参照して説明する。
【００２１】
図１は、本発明の金融システムの実施の一形態を示す図である。
【００２２】
本形態は図１に示すように、ユーザ端末１０１と、手続き受付サーバ１０２と、ＡＴＭ１０３と、インターネット１０４と、専用ネットワーク１０５とから構成されている。
【００２３】
ユーザ端末１０１は、本システムを利用する利用者が所持する携帯電話やパーソナルコンピュータ等の利用者端末であり、インターネット１０４に接続可能であり、且つ情報を表示する画面を有する。手続き受付サーバ１０２は、インターネット１０４を介してユーザ端末１０１と接続され、利用者が行う手続きの内容を処理し、記憶する金融機関所有のサーバである。ＡＴＭ（現金自動預け払い機）１０３は、専用ネットワーク１０５を介して手続き受付サーバ１０２と接続され、金融機関等に設けられ、所望の手続きを行う手続き端末である。ここで、専用ネットワーク１０５は、手続き受付サーバ１０２と、ＡＴＭ１０３とを接続するために専用に設けられた金融機関専用のネットワークである。
【００２４】
図２は、図１に示した手続き受付サーバ１０２の一構成例を示す図である。
【００２５】
図１に示した手続き受付サーバ１０２は図２に示すように、ネットワークインタフェース部２０１と、認証部２０２と、手続き番号発行部２０３と、手続き情報処理部２０４と、手続き情報記憶部２０５とから構成されている。
【００２６】
ネットワークインタフェース部２０１は、インターネット１０４及び専用ネットワーク１０５との間にて情報を送受信する。認証部２０２は、ユーザ端末１０１を用いて手続き受付サーバ１０２に接続して本システムを利用する利用者の認証を行う。手続き番号発行部２０３は、利用者によって予め登録された手続きに応じた手続き番号を発行する。手続き情報処理部２０４は、利用者によって予め登録された手続き内容である手続き情報と、手続き発行部２０３にて発行された手続き番号とを対応付けて処理する。手続き情報記憶部２０５は、利用者によって予め登録された手続き内容である手続き情報を、手続き発行部２０３にて発行された手続き番号とともに記憶する。
【００２７】
図３は、図２に示した手続き情報記憶部２０５に記憶されるデータ構造の一例を示す図である。
【００２８】
図３に示した手続き情報記憶部２０５に記憶されるデータ構造は、手続き番号と、キャッシュカードのカード番号と、手続き情報とがそれぞれ対応付けられて記憶されている。例えば、手続き番号が「０１００」であり、カード番号が「１１１１１１１１」である利用者の手続き情報は「５０，０００円の引き出し」である。また、手続き番号が「９９００」であり、カード番号が「５５５５５５５５」である利用者の手続き情報は「１０，０００円の預け入れ」である。また、手続き番号が「０７７７」であり、カード番号が「２２２２３３３３」である利用者の手続き情報は「＊＊＊の口座に３０，０００円の振込み」である。
【００２９】
なお、手続き情報記憶部２０５は、手続き受付サーバ１０２の外部に設けられていても良い。
【００３０】
以下に、図１〜３に示した金融システムにおける手続き方法について説明する。まずは、図１に示したユーザ端末１０１を用いて、手続き受付サーバ１０２に手続きを登録する処理について説明する。
【００３１】
図４は、図１〜３に示した金融システムにおける手続き方法のうち、図１に示したユーザ端末１０１を用いて、手続き受付サーバ１０２に手続きを登録する処理を説明するためのフローチャートである。
【００３２】
まず、利用者がユーザ端末１０１を用いてインターネット１０４を介して手続き受付サーバ１０２に接続する（ステップＳ１）。このときの接続方法は、対象の金融機関のＨＰに接続する方法が考えられるが、特に限定しない。
【００３３】
すると、手続き受付サーバ１０２からログイン画面が当該ユーザ端末１０１へ送信され（ステップＳ２）、送信されたログイン画面がユーザ端末１０１にて受信される（ステップＳ３）。ユーザ端末１０１にて受信されたログイン画面は、ユーザ端末１０１にて表示される（ステップＳ４）。
【００３４】
そして、ユーザ端末１０１にて表示されたログイン画面に利用者によってログインＩＤとパスワードとが入力されると（ステップＳ５）、手続き受付サーバ１０２の認証部２０２にて認証が行われる（ステップＳ６）。ここで使用されるログインＩＤはキャッシュカードのカード番号とし、またパスワードはカード暗証番号とする。また、この認証は、手続き受付サーバ１０２によって、当該カードを作成した際に金融機関に登録されるユーザ情報が格納されたデータベースを参照することにより実現するものである。
【００３５】
認証が失敗した場合、何も処理が行われずに、処理が終了する。
【００３６】
一方、認証が成功した場合は、手続き情報処理部２０４からネットワークインタフェース部２０１を介してユーザ端末１０１へ事前手続き受付画面が送信される（ステップＳ７）。この事前手続き受付画面は、利用者がＡＴＭ１０３にて手続きをする前に、その手続きを予め登録するための画面である。
【００３７】
手続き情報処理部２０４からユーザ端末１０１へ送信された事前手続き受付画面がユーザ端末１０１にて受信されると（ステップＳ８）、受信された事前手続き受付画面がユーザ端末１０１に表示される（ステップＳ９）。
【００３８】
図５は、ユーザ端末１０１に表示された事前手続き受付画面の一例を示す図である。
【００３９】
ユーザ端末１０１に表示される事前手続き受付画面は図５に示すように、利用者が行おうとする手続きを選択するボタンと、その手続きによって入出するお金の金額を入力する欄と、手続きが振込みである場合の振込先を入力する欄とが表示される。その他、任意の入力項目について表示されるものであっても良い。入力方法については、携帯電話やパーソナルコンピュータ等を用いて、情報を入力するものと同様であり、カーソル移動や数字入力方法については、従来の方法を用いる。
【００４０】
ユーザ端末１０１に表示された事前手続き登録画面にしたがって、利用者が情報（以下、手続き情報と称する）を入力すると（ステップＳ１０）、入力された手続き情報がユーザ端末１０１から手続き受付サーバ１０２へ送信される（ステップＳ１１）。
【００４１】
ユーザ端末１０１から送信された手続き情報が手続き受付サーバ１０２にて受信されると（ステップＳ１２）、それに対する手続き番号が手続き番号発行部２０３にて発行される（ステップＳ１３）。この手続き番号は、ＡＴＭ１０３上での操作時間を短く簡単にするために、なるべく少ない桁数の数字の羅列が好ましいが、数字とアルファベットとの組み合わせであっても良い。また、シーケンシャルな手続き番号を発行する必要はなく、想定しにくいランダムな番号であることが好ましい。
【００４２】
手続き番号発行部２０３にて手続き番号が発行されると、ログイン時に入力されたカード番号と、手続き番号発行部２０３にて発行された手続き番号と、受信された手続き情報とが対応付けられて手続き情報処理部２０４によって手続き情報記憶部２０５に格納される（ステップ１４）。そして、手続き番号が手続き番号発行部２０３からネットワークインタフェース部２０１を介してユーザ端末１０１へ送信され（ステップＳ１５）、ユーザ端末１０１にて受信される（ステップＳ１６）。ユーザ端末１０１にて受信された手続き番号は、ユーザ端末１０１にて表示される（ステップＳ１７）。
【００４３】
これにより、利用者が所望の手続きに対応した手続き番号を得ることができる。
【００４４】
次に、図１に示したユーザ端末１０１を用いて手続き番号を獲得した利用者が、金融機関等に設けられたＡＴＭ１０３にて手続きをする処理について説明する。
【００４５】
図６は、図１〜３に示した金融システムにおける手続き方法のうち、図１に示したユーザ端末１０１を用いて手続き番号を獲得した利用者が、金融機関等に設けられたＡＴＭ１０３にて手続きをする処理を説明するためのフローチャートである。
【００４６】
まず、ＡＴＭ１０３にてキャッシュカードの挿入要求画面が表示される（ステップＳ２１）。そして、利用者がキャッシュカードを挿入すると、ＡＴＭ１０３にて挿入されたキャッシュカードに記憶されたカード番号の読み取りが行われる（ステップＳ２２）。ステップＳ２１及びステップＳ２２の処理は、ＡＴＭ１０３にて従来から行われている処理と同様の処理である。
【００４７】
カード番号が読み取られると、これから行う手続きの内容が事前に登録済みのものであるか、これから入力するものであるかを利用者に問い合わせる画面が表示される（ステップＳ２３）。この表示される画面は、これから行う手続きの内容が事前に登録済みのものであるか、これから入力するものであるかを利用者に問い合わせるメッセージが表示され、それらのどちらかを利用者が選択できるものであれば良く、詳細についてはここでは規定しない。
【００４８】
表示された画面上で、利用者によって選択された手続きが認識され（ステップＳ２４）、事前登録済みの手続きを行うことが選択されたと認識されると、手続き番号を入力するための画面が表示される（ステップＳ２５）。この画面は、利用者が所持するユーザ端末１０１にて予め受信された手続き番号を入力できる画面であれば良く、詳細についてはここでは規定しない。
【００４９】
利用者によって手続き番号がＡＴＭ１０３に入力されると、入力された手続き番号がＡＴＭ１０３から手続き受付サーバ１０２へ送信される（ステップＳ２６）。
【００５０】
ＡＴＭ１０３から送信された手続き番号が手続き受付サーバ１０２にて受信されると（ステップＳ２７）、手続き情報処理部２０４によって手続き情報記憶部２０５が参照される（ステップＳ２８）。このとき、受信された手続き番号が手続き情報記憶部２０５に存在するかどうか、つまり受信された手続き番号が有効なものであるかどうかが判断される（ステップＳ２９）。
【００５１】
受信された手続き番号が手続き情報記憶部２０５に存在しない、つまり受信された手続き番号が無効なものであると判断された場合、手続き番号が無効である旨が手続き受付サーバ１０２からＡＴＭ１０３へ送信され（ステップＳ３０）、ＡＴＭ１０３にて受信される（ステップＳ３１）。
【００５２】
手続き番号が無効である旨がＡＴＭ１０３にて受信されると、その旨がＡＴＭ１０３に表示され（ステップＳ３２）、カードの暗証番号を入力することによる従来の手続きが行われる（ステップＳ３３）。また、ステップＳ２４にて、利用者によって選択された手続きがこれから入力するものであることが選択されたと認識されると、ステップＳ３３の従来の処理が実行される。
【００５３】
一方、ステップＳ２９にて、受信された手続き番号が手続き情報記憶部２０５に存在する、つまり受信された手続き番号が有効なものであると判断された場合、当該手続き番号に対応付けられたカード番号と手続き情報とが手続き情報処理部２０４によって手続き情報記憶部２０５から読み出され、それらが手続き受付サーバ１０２からＡＴＭ１０３へ送信される（ステップＳ３４）。
【００５４】
手続き番号に対応付けられたカード番号と手続き情報とがＡＴＭ１０３にて受信されると（ステップＳ３５）、受信されたカード番号が、ステップＳ２２にて読み取られたカード番号と一致するかどうかが判断される（ステップＳ３６）。
【００５５】
受信されたカード番号が、ステップＳ２２にて読み取られたカード番号と一致しないと判断された場合、ステップＳ３２の処理に進む。
【００５６】
一方、受信されたカード番号が、ステップＳ２２にて読み取られたカード番号と一致すると判断された場合は、受信された手続き情報に基づいた処理が実行される（ステップＳ３７）。例えば、図３に示した例を用いて説明すると、ステップＳ２２にてＡＴＭ１０３に読み取られたカード番号が「１１１１１１１１」であり、ＡＴＭ１０３に入力された手続き番号が「０１００」である場合、５０，０００円がＡＴＭ１０３から引き出されることとなる。また、ステップＳ２２にてＡＴＭ１０３に読み取られたカード番号が「５５５５５５５５」であり、ＡＴＭ１０３に入力された手続き番号が「９９００」である場合、１０，０００円の預け入れ処理がＡＴＭ１０３にて実行されることとなる。また、ステップＳ２２にてＡＴＭ１０３に読み取られたカード番号が「２２２２３３３３」であり、ＡＴＭ１０３に入力された手続き番号が「０７７７」である場合、「＊＊＊」の口座に３０，０００円の振込み処理がＡＴＭ１０３にて実行されることとなる。これにより、利用者によるＡＴＭ１０３の操作が簡素化できる。
【００５７】
その後、上述した手続きが完了すると手続き完了通知がＡＴＭ１０３から手続き受付サーバ１０２へ送信される（ステップＳ３８）。ＡＴＭ１０３から送信された手続き完了通知が手続き受付サーバ１０２にて受信されると（ステップＳ３９）、手続き情報処理部２０４によって、手続き情報記憶部２０５に格納されている当該手続き情報とカード番号と手続き番号との対応付けが消去される（ステップＳ４０）。これにより、利用者がＡＴＭ１０３に手続き番号を入力した際に、当該手続き番号を盗み見られたとしても、その手続き番号を用いて不正に現金が引き出される可能性がほとんどなくなる。
【００５８】
以上説明したように、ＡＴＭ１０３で行う手続きの内容を事前に登録しておくことができるため、実際にＡＴＭ１０３の前で行う作業は手続番号の入力と、必要に応じた確認ボタンの押下程度となる。それにより、キャッシュカードの暗証番号を盗み見られることがなくなり、且つ手続きの操作にかかる時間も大幅に削減することが可能となる。
【００５９】
なお、本発明においては、手続き受付サーバ１０２及びＡＴＭ１０３内の処理は上述の専用のハードウェアにより実現されるもの以外に、既存のサーバ及び既存のＡＴＭのハードウェアにその機能を実現するためのプログラムを読取可能な記録媒体に記録し、この記録媒体に記録されたプログラムを既存のサーバ及び既存のＡＴＭに読み込ませ、実行するものであっても良い。既存のサーバ及び既存のＡＴＭにて読取可能な記録媒体とは、フロッピーディスク、光磁気ディスク、ＤＶＤ、ＣＤなどの移設可能な記録媒体の他、既存のサーバ及び既存のＡＴＭに内蔵されたＨＤＤ等を指す。この記録媒体に記録されたプログラムは、例えば、既存のサーバ及び既存のＡＴＭそれぞれを制御する制御ブロックにて読み込まれ、制御ブロックの制御によって、上述したものと同様の処理が行われる。
【図面の簡単な説明】
【００６０】
【図１】本発明の金融システムの実施の一形態を示す図である。
【図２】図１に示した手続き受付サーバの一構成例を示す図である。
【図３】図２に示した手続き情報記憶部に記憶されるデータ構造の一例を示す図である。
【図４】図１〜３に示した金融システムにおける手続き方法のうち、図１に示したユーザ端末を用いて、手続き受付サーバに手続きを登録する処理を説明するためのフローチャートである。
【図５】ユーザ端末に表示された事前手続き受付画面の一例を示す図である。
【図６】図１〜３に示した金融システムにおける手続き方法のうち、図１に示したユーザ端末を用いて手続き番号を獲得した利用者が、金融機関等に設けられたＡＴＭにて手続きをする処理を説明するためのフローチャートである。
【符号の説明】
【００６１】
１０１    ユーザ端末
１０２    手続き受付サーバ
１０３    ＡＴＭ
１０４    インターネット
１０５    専用ネットワーク
２０１    ネットワークインタフェース部
２０２    認証部
２０３    手続き番号発行部
２０４    手続き情報処理部
２０５    手続き情報記憶部
【図１】
2007316898.tif 000003
【図２】
2007316898.tif 000004
【図３】
2007316898.tif 000005
【図４】
2007316898.tif 000006
【図５】
2007316898.tif 000007
【図６】
2007316898.tif 000008